(57)【特許請求の範囲】
【請求項１】
通信装置であって、
サービスネットワークによって配置され、少なくとも第１のコンポーネントキャリアを含むコンポーネントキャリアのセットによって、前記サービスネットワークに、または前記サービスネットワークから、無線周波数信号を送信および受信する無線モジュール、および
前記無線モジュールによって前記サービスネットワークから前記第１のコンポーネントキャリアに対応する測定配置を受ける制御モジュールを含み、
前記第１のコンポーネントキャリアが前記コンポーネントキャリアのセットから除去された時、前記制御モジュールは、前記第１のコンポーネントキャリアに対応する前記測定配置を保持する通信装置。
【請求項２】
前記制御モジュールは、前記無線モジュールによって前記サービスネットワークからの第１のメッセージを受信して、前記第１のコンポーネントキャリアを前記コンポーネントキャリアの配置されたセットから除去するか、またはＲＲＣ再確立を開始するかに応じて、前記コンポーネントキャリアのセットから前記第１のコンポーネントキャリアを除去する請求項１に記載の通信装置。
【請求項３】
前記第１のコンポーネントキャリアが前記コンポーネントキャリアのセットから除去された後、前記制御モジュールは、前記保持された測定配置に基づき、前記第１のコンポーネントキャリアの測定を更に実行する請求項１に記載の通信装置。
【請求項４】
前記第１のコンポーネントキャリアが前記コンポーネントキャリアのセットから除去された後、前記無線モジュールによって前記サービスネットワークからの前記第１のコンポーネントキャリアの測定を実行するのを再開する第２のメッセージを受けるまで、前記第１のコンポーネントキャリアの測定を更に実行するのを一時停止する請求項１に記載の通信装置。
【請求項５】
サービスネットワークの無線通信サービスを提供する通信装置であって、
コンポーネントキャリアの配置されたセットによって、ピアデバイスに、またはピアデバイスから、無線周波数信号を送信および受信する無線モジュール、および
前記無線モジュールによって第１のコンポーネントキャリアに対応する測定配置を前記ピアデバイスに伝送する制御モジュールを含み、
前記第１のコンポーネントキャリアが前記コンポーネントキャリアの配置されたセット内にある時、前記制御モジュールは、前記第１のコンポーネントキャリアが前記コンポーネントキャリアの配置されたセットから除去された後、前記第１のコンポーネントキャリアに対応する前記測定配置を保持する通信装置。
【請求項６】
前記第１のコンポーネントキャリアが前記コンポーネントキャリアの配置されたセット内にない時、前記制御モジュールは、前記第１のコンポーネントキャリアが前記コンポーネントキャリアの配置されたセットに加えられた後、前記第１のコンポーネントキャリアに対応する前記測定配置を保持する請求項５に記載の通信装置。
【請求項７】
測定制御方法であって、
第１のコンポーネントキャリアを含むコンポーネントキャリアの配置されたセットによって、通信装置とサービスネットワーク間の無線リソース制御（ＲＲＣ）接続を確立するステップ、
前記第１のコンポーネントキャリアに対応する測定配置を発生するステップ、
前記第１のコンポーネントキャリアを前記コンポーネントキャリアの配置されたセットから除去するステップ、および
前記第１のコンポーネントキャリアに対応する測定配置を保持するステップを含む方法。
【請求項８】
前記第１のコンポーネントキャリアは、前記サービスネットワークからの第１のメッセージを受信して、前記第１のコンポーネントキャリアを前記コンポーネントキャリアの配置されたセットから除去するか、またはＲＲＣ再確立を開始するかに応じて、前記コンポーネントキャリアの配置されたセットから除去される請求項７に記載の方法。
【請求項９】
前記第１のコンポーネントキャリアを前記コンポーネントキャリアの配置されたセットから除去した後、前記通信装置によって、前記保持された測定配置に基づき、前記第１のコンポーネントキャリアの測定を実行するステップを更に含む請求項７に記載の方法。
【請求項１０】
前記第１のコンポーネントキャリアを前記コンポーネントキャリアの配置されたセットから除去した後、前記通信装置によって、前記第１のコンポーネントキャリアの測定を実行するのを一時停止するステップ、および
前記第１のコンポーネントキャリアの測定を実行する再開のメッセージを受けて、前記通信装置によって、前記保持された測定配置に基づき、前記第１のコンポーネントキャリアの測定を実行するステップを更に含む請求項７に記載の方法。
【発明の詳細な説明】
【技術分野】
【０００１】
本発明は、無線通信システムの測定制御の装置および方法に関し、特に、無線通信システムのコンポーネントキャリア（ｃｏｍｐｏｎｅｎｔ  ｃａｒｒｉｅｒ）の測定配置（ｍｅａｓｕｒｅｍｅｎｔ  ｃｏｎｆｉｇｕｒａｔｉｏｎ）を管理する装置および方法に関するものである。
【背景技術】
【０００２】
近年のモバイル通信技術の進歩により、例えば、音声通話サービス、データ変換サービス、およびビデオ通話サービスなどの種々の通信サービスがユーザーの所在地に関わりなく提供されることが可能となっている。ほとんどのモバイル通信システムは、アクセスと無線ネットワークリソースが複数のユーザーに割り当てられる多重アクセスシステムである。多重アクセス技術は、１×符号分割多重アクセス２０００（１×ＣＤＭＡ２０００）技術、１×エボリューションデータオプティマイズド（１×Ｅｖｏｌｕｔｉｏｎ−Ｄａｔａ  Ｏｐｔｉｍｉｚｅｄ；ＥＶＤＯ）技術、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；ＯＦＤＭ）技術、およびロングタームエボリューション（Ｌｏｎｇ  Ｔｅｒｍ  Ｅｖｏｌｕｔｉｏｎ；ＬＴＥ）技術を含むモバイル通信システムに用いられる。ＬＥＴから発展した、ＬＴＥ  Ａｄｖａｎｃｅｄは、ＬＴＥの標準から発展したものである。ＬＴＥ  Ａｄｖａｎｃｅｄは、ＬＴＥの設備と交換性がなければならず、ＬＴＥ通信システムと周波数帯域を共用しなければならない。ＬＴＥ  Ａｄｖａｎｃｅｄの重要な利点の１つは、先進のネットワークトポロジーを利用するその機能であり、最適化された異機種ネットワークは、例えばピコセル、フェムトセル、および高機能中継ノードなどの低電力のノードを有する混合マクロ（ａ  ｍｉｘ  ｏｆ  ｍａｃｒｏｓ）を有する。
【０００３】
また、ＬＴＥ  Ａｄｖａｎｃｅｄは、最高１００ＭＨｚのスペクトルの超広帯域幅を用いて、非常に高いデータ速度をサポートできるようにマルチキャリアの特性も導入している。ＬＴＥ  Ａｄｖａｎｃｅｄに導入されたマルチキャリアの特性は、キャリアアグリゲーション（ＣＡ）によってサポートされる。ＣＡでは、最高１００ＭＨｚの広帯域伝送を提供するために、２つ以上のコンポーネントキャリア（ＣＣ）が集約される。ＣＡは、連続的、および非連続的なコンポーネントキャリアの両方を集約するように用いられ得る。移動端末（Ｕｓｅｒ  Ｅｑｕｉｐｔｍｅｎｔ；ＵＥ）を同じ基地局（Ｅｖｏｌｖｅｄ  ＮｏｄｅＢ；ｅＮＢ）からの、アップリンク（ＵＬ）とダウンリンク（ＤＬ）で異なる帯域幅を有し得る、異なる数のコンポーネントキャリアを集約するように構成することも可能である。移動端末は、その機能に応じて１つまたは複数のコンポーネントキャリアを介して無線周波数（ＲＦ）信号を同時に受信または送信し得る。信号およびデータ伝送に用いる集約されたコンポーネントキャリアの配置されたセットの記録は、移動端末に用いる配置されたコンポーネントキャリアに関する情報を保持するように、移動端末および基地局の両方によって保持される。
【０００４】
しかしながら、配置されたセットのコンポーネントキャリアの数は、ネットワーク状態により変えられ得る。例えば、良好な信号品質を有する新しいコンポーネントキャリアは、基地局によって確認され、次いでコンポーネントキャリアの配置されたセット内に加えられる。逆に、配置されたセットのコンポーネントキャリアの信号品質が悪くなった時、基地局は、配置されたセットからそれを除去するように決定され得る。一般的に、各コンポーネントキャリアは、少なくとも１つの測定配置（ｍｅａｓｕｒｅｍｅｎｔ  ｃｏｎｆｉｇｕｒａｔｉｏｎ；ＭＣ）に対応し、コンポーネントキャリアに対応する測定タスクを配置する。コンポーネントキャリアに対応する測定タスクは、移動端末によって実行され、コンポーネントキャリアの信号品質を周期的に、または非周期的に測定する。例えば、コンポーネントキャリアの基準信号受信電力（ＲＳＲＰ）、基準信号受信品質（ＲＳＲＱ）、受信信号強度（ＲＳＳＩ）を測定する。コンポーネントキャリアの配置されたセットの内容が変えられた時、どのように加えられた、または除去されたコンポーネントキャリアに対応する測定配置を管理するかが、目下、解決される必要がある問題である。
【発明の概要】
【発明が解決しようとする課題】
【０００５】
無線通信システムのコンポーネントキャリアの測定配置を管理する装置および方法を提供する。
【課題を解決するための手段】
【０００６】
本発明の実施の形態に基づき、通信装置は、無線モジュールおよび制御モジュールを含む。無線モジュールは、コンポーネントキャリアのセットによって、サービスネットワークに、またはサービスネットワークから、無線周波数信号を送信および受信する。コンポーネントキャリアのセットは、サービスネットワークによって配置され、少なくとも第１のコンポーネントキャリアを含む。制御モジュールは、無線モジュールによってサービスネットワークから第１のコンポーネントキャリアに対応する測定配置を受ける。第１のコンポーネントキャリアがコンポーネントキャリアのセットから除去された時、制御モジュールは、第１のコンポーネントキャリアに対応する測定配置を保持する。
【０００７】
本発明のもう１つの実施の形態に基づき、通信装置は、無線モジュールおよび制御モジュールを含む。無線モジュールは、サービスネットワークによって配置されたコンポーネントキャリアのセットによって、サービスネットワークに、またはサービスネットワークから、無線周波数信号を送信および受信する。制御モジュールは、無線モジュールによってサービスネットワークから第１のコンポーネントキャリアに対応する測定配置を受け、第１のコンポーネントキャリアは、コンポーネントキャリアのセット内にない。第１のコンポーネントキャリアがコンポーネントキャリアに加えられた時、制御モジュールは、第１のコンポーネントキャリアに対応する測定配置を保持する。
【０００８】
本発明のもう１つの実施の形態に基づき、サービスネットワークの無線通信サービスを提供する通信装置は、無線モジュールおよび制御モジュールを含む。無線モジュールは、コンポーネントキャリアのセットによって、ピアデバイスに、またはピアデバイスから、無線周波数信号を送信および受信する。制御モジュールは、無線モジュールによって第１のコンポーネントキャリアに対応する測定配置をピアデバイスに伝送する。第１のコンポーネントキャリアがコンポーネントキャリアの配置されたセット内にある時、制御モジュールは、第１のコンポーネントキャリアがコンポーネントキャリアの配置されたセットから除去された後、第１のコンポーネントキャリアに対応する測定配置を保持する。
【０００９】
本発明のもう１つの実施の形態に基づき、測定制御方法は、第１のコンポーネントキャリアを含むコンポーネントキャリアの配置されたセットによって、通信装置とサービスネットワーク間の無線リソース制御（ＲＲＣ）接続を確立するステップ、第１のコンポーネントキャリアに対応する測定配置を発生するステップ、第１のコンポーネントキャリアをコンポーネントキャリアの配置されたセットから除去するステップ、および第１のコンポーネントキャリアに対応する測定配置を保持するステップを含む。
【００１０】
本発明のもう１つの実施の形態に基づき、通信装置は、無線モジュールおよび制御モジュールを含む。無線モジュールは、コンポーネントキャリアのセットによって、サービスネットワークに、またはサービスネットワークから、無線周波数信号を送信および受信する。コンポーネントキャリアのセットは、サービスネットワークによって配置され、少なくとも第１のコンポーネントキャリアを含む。制御モジュールは、無線モジュールによってサービスネットワークから第１のコンポーネントキャリアに対応する測定配置を受ける。第１のコンポーネントキャリアがコンポーネントキャリアのセットから除去された時、制御モジュールは、第１のコンポーネントキャリアに対応する測定配置を解放する。
【００１１】
本発明のもう１つの実施の形態に基づき、サービスネットワークの無線通信サービスを提供する通信装置は、無線モジュールおよび制御モジュールを含む。無線モジュールは、コンポーネントキャリアのセットによって、ピアデバイスに、またはピアデバイスから、無線周波数信号を送信および受信する。制御モジュールは、無線モジュールによって第１のコンポーネントキャリアに対応する測定配置をピアデバイスに伝送する。第１のコンポーネントキャリアがコンポーネントキャリアの配置されたセットから除去された後、制御モジュールは、第１のコンポーネントキャリアに対応する測定配置を解放する。
【００１２】
本発明の他の局面および特徴は、無線通信システムの測定制御の装置および方法の特定の実施の形態の以下の説明を検討した後、当業者により認識可能となるはずである。
【図面の簡単な説明】
【００１３】
本発明は、添付の図面と併せて参照して、次の詳細な説明および実施例からより完全に理解され得る。
【図１】本発明の実施の形態に基づく無線通信システムを例示するブロック図である。
【図２】本発明の実施の形態に基づくサービスネットワークのアクセスノードの簡易化したブロック図を表している。
【図３】本発明の実施の形態に基づく移動端末（ＵＥ）からユニバーサル陸上無線アクセスネットワーク（ＥＵＴＲＡＮ）に伝送された測定報告のメッセージフローを表している。
【図４】本発明の第１の態様に基づく測定制御方法を例示する流れ図である。
【図５】本発明の第１の態様に基づく測定制御方法を例示するもう１つの流れ図である。
【図６】本発明の第２の態様に基づく測定制御方法を例示する流れ図である。
【発明を実施するための形態】
【００１４】
以下の説明は、本発明を実施する最良の方法が開示されている。この説明は、本発明の一般原理を例示する目的のためのもので本発明を限定するものではない。３ＧＰＰ仕様書は、本発明の精神を教示するのに用いられるもので、本発明はこれを制限するものではない。
【００１５】
図１は、本発明の実施の形態に基づく無線通信システムを例示するブロック図である。無線通信システム１００では、通信装置１１０、例えば、移動端末（ＵＥ）は、図１に示されるサービスネットワーク１２０などのサービスネットワークに無線接続され、無線通信サービスを得る。サービスネットワーク１２０は、基地局（ｅＮＢ）などのアクセスノードを含み、１つ以上の通信装置とコアネットワーク間を接続し、無線通信サービスを通信装置１１０に提供し得る。サービスネットワーク１２０も制御ノードを含み、少なくとも１つのアクセスノードの動作を制御し得る。サービスネットワーク１２０の動作は、通信プロトコルに準拠する。一実施の形態において、サービスネットワーク１２０は、ロングタームエボリューション（ＬＴＥ）システム、またはＬＴＥ  Ａｄｖａｎｃｅｄシステムでもよい。
【００１６】
通信装置１１０は、少なくとも無線モジュール１１１を含み、サービスネットワーク１２０からの無線送信と受信の機能を実行し得る。更に明確にいえば、無線モジュール１１１は、ベースバンドユニット（図示されていない）および無線周波数（ＲＦ）ユニット（図示されていない）を含み得る。ベースバンドユニットは、アナログデジタル変換（ＡＤＣ）／デジタルアナログ変換（ＤＡＣ）、利得調整、変調／復調、コーディング／デコーディングなどを含む、ベースバンド信号処理を実行する複数のハードウェアデバイスを含み得る。無線周波数ユニットは、ＲＦ無線信号を受けて、受けたＲＦ無線信号をベースバンドユニットによって処理されるベーバンド信号に変換するか、またはベースバンドユニットからベースバンド信号を受けて、受けたベースバンド信号をＲＦ無線信号に変換した後、伝送される。ＲＦユニットは、複数のハードウェアデバイスも含み、無線周波数変換を実行し得る。例えば、ＲＦユニットは、ミキサを含み、ベースバンド信号に無線通信システムの無線周波数で振動するキャリアを掛けることができ、ユニバーサル移動体通信システム（ＵＭＴＳ）のシステムに用いられる９００ＭＨｚ、１９００ＭＨｚ、または２１００ＭＨｚであり得るか、またはロングタームエボリューション（ＬＴＥ）システムに用いられる９００ＭＨｚ、２１００ＭＨｚ、または２．６ＧＨｚであり得るか、またはその他の用いられる無線アクセス技術（ＲＡＴ）によって決まる。また、通信装置１１０は、無線モジュール１１１の動作、および例えば、マンマシンインタフェース（ＭＭＩ）となる表示ユニットおよび／またはキーパッド、アプリケーションまたは通信プロトコルのデータおよびプログラムコードを保存する記憶ユニット、またはその他の機能要素を制御する制御モジュール１１２を含み得る。ＵＭＴＳシステムおよびＬＴＥシステムに加え、本発明は、将来のＵＭＴＳベースの技術に用いられ得ることが理解されるであろう。
【００１７】
図２は、本発明の実施の形態に基づくサービスネットワークの図１に示されたアクセスノードの簡易化したブロック図を表している。アクセスノードは、例えば、基地局であり得、サービスネットワークで無線通信サービスを提供する通信装置と見なされてもよい。通信装置２２０は、少なくとも無線モジュール２２１を含んで、図１に示された通信装置１１０などの１つ以上のピアデバイスとコアネットワーク間の無線送信と受信の機能を実行することもできる。更に明確にいえば、無線モジュール２２１は、ベースバンドユニット（図示されていない）および無線周波数（ＲＦ）ユニット（図示されていない）を含み得る。ベースバンドユニットは、アナログデジタル変換（ＡＤＣ）／デジタルアナログ変換（ＤＡＣ）、利得調整、変調／復調、コーディング／デコーディングなどを含む、ベースバンド信号処理を実行する複数のハードウェアデバイスを含み得る。無線周波数ユニットは、ＲＦ無線信号を受け、受けたＲＦ無線信号をベーバンド信号に変換し、ベースバンドユニットによって処理されるか、またはベースバンドユニットからベースバンド信号を受けて、受けたベースバンド信号をＲＦ無線信号に変換し、後に伝送される。ＲＦユニットは、複数のハードウェアデバイスも含み、無線周波数変換を実行し得る。例えば、ＲＦユニットは、ミキサを含み、ベースバンド信号に無線通信システムの無線周波数で振動するキャリアを掛けることができ、ユニバーサル移動体通信システム（ＵＭＴＳ）のシステムに用いられる９００ＭＨｚ、１９００ＭＨｚ、または２１００ＭＨｚであり得るか、またはロングタームエボリューション（ＬＴＥ）システムに用いられる９００ＭＨｚ、２１００ＭＨｚ、または２．６ＧＨｚであり得るか、またはその他の用いられる無線アクセス技術（ＲＡＴ）によって決まる。また、通信装置２２０は、無線モジュール２２１の動作、および例えば、アプリケーションまたは通信プロトコルのデータおよびプログラムコードを保存する記憶ユニット、またはその他の機能要素を制御する制御モジュール２２２を含み得る。ＵＭＴＳシステムおよびＬＴＥシステムに加え、本発明は、将来のＵＭＴＳベースの技術に用いられ得ることが理解されるであろう。
【００１８】
上述のように、移動端末（ＵＥ）を配置して複数のコンポーネントキャリアを集約し、広帯域伝送を提供することが可能である。キャリアアグリゲーション（ＣＡ）が配置された時、移動端末は、ネットワークとの間に１つの無線リソース制御（Ｒａｄｉｏ  Ｒｅｓｏｕｒｃｅ  Ｃｏｎｔｒｏｌ  ；ＲＲＣ）接続しかない。ＲＲＣ接続の確立／再確立の期間、１つのセルが安全入力（ｓｅｃｕｒｉｔｙ  ｉｎｐｕｔ）を移動端末に提供し得る。無線リソース制御接続の確立／再確立の手順後、そのセルに対応するコンポーネントキャリアは、ダウンリンクプライマリコンポーネントキャリア（Ｄｏｗｎｌｉｎｋ  Ｐｒｉｍａｒｙ  Ｃｏｍｐｏｎｅｎｔ  Ｃａｒｒｉｅｒ；ＤＬ  ＰＣＣ）と呼ばれ得る。接続されたモードにおいて、移動端末当たり、配置される１つのダウンリンクプライマリコンポーネントキャリアおよび１つのアップリンクプライマリコンポーネントキャリアが常にある。コンポーネントキャリアの配置されたセット内で、他のコンポーネントキャリアは、セカンダリコンポーネントキャリア（ＳＣＣ）と呼ばれ得る。ダウンリンクプライマリコンポーネントキャリアが無線リンク障害（ＲＬＦ）を発生した時、無線リソース制御の再確立が起動され得る。
【００１９】
移動端末は、対応するコンポーネントキャリアが配置されたセットか否かに関わらず、１つ以上の測定配置に基づく、ユニバーサル陸上無線アクセスネットワーク（ＥＵＴＲＡＮ）によって提供された、１つ以上のコンポーネントキャリアの信号品質を測定するのに対応し、ＥＵＴＲＡＮのネットワーク側は、基地局によって構成される。また移動端末は、測定情報を基地局に報告するのにも対応する。測定配置（ＭＣ）は、測定されるコンポーネントキャリアに関連したオブジェクトに関する情報を表す複数のパラメータを含んで、コンポーネントキャリアの測定タスクを促進する。一般的に、１つの測定配置は、１つのコンポーネントキャリアに対応し得るが１つのコンポーネントキャリアは、１つ以上の測定配置に対応し得る。ＥＵＴＲＡＮは、専用の信号を用いて、即ち、無線リソース制御メッセージ（例えばＲＲＣＣｏｎｎｅｃｔｉｏｎＲｅｃｏｎｆｉｇｕｒａｔｉｏｎ  メッセージ）を用いて移動端末に適用可能な測定配置を提供し得る。本発明の実施の形態に基づき、測定配置（ＭｅａｓＣｏｎｆｉｇ）は、少なくとも１つの以下のパラメータを含み得る。
１．測定オブジェクト（ｍｅａｓＯｂｊｅｃｔ）：移動端末が測定を実行するオブジェクト、例えば対応するコンポーネントキャリアの周波数帯域。
２．報告設定（Ｒｅｐｏｒｔｉｎｇ  ｃｏｎｆｉｇｕｒａｔｉｏｎ（ｒｅｐｏｒｔＣｏｎｆｉｇ））：報告設定のリストであり、各報告設定は以下からなり得る：
報告基準：移動端末を起動して測定報告を伝送する基準。これは、定期的または単一イベントの記述のどちらでもよい。
報告フォーマット：移動端末が測定報告および関連情報（例えば、報告するセル数）に含める量。
３．測定ＩＤ（Ｍｅａｓｕｒｅｍｅｎｔ  ｉｄｅｎｔｉｔｉｅｓ（ｍｅａｓＩｄ））：各測定ＩＤが１つの報告設定を有する１つの測定オブジェクトをリンクする測定ＩＤのリスト。
４．量設定（Ｑｕａｎｔｉｔｙ  ｃｏｎｆｉｇｕｒａｔｉｏｎｓ  （ｑｕａｎｔｉｔｙＣｏｎｆｉｇ））：測定量、および全てのイベント評価および測定タイプの関連報告に用いられる関連のフィルタリングを規定する量設定。
５．測定間隙（Ｍｅａｓｕｒｅｍｅｎｔ  ｇａｐｓ（ｍｅａｓＧａｐＣｏｎｆｉｇ））：移動端末が測定を実行するのに用いられ得る、即ち、アップリンク（ＵＬ）およびダウンリンク（ＤＬ）の伝送がスケジュールに入れられない周期。
【００２０】
一般的にＥＵＴＲＡＮは、所定の周波数の単一の測定オブジェクトだけを配置する。ＥＵＴＲＡＮによって提供された測定配置に基づき、移動端末は、対応する測定オブジェクトに対して測定タスクを実行し、報告設定に基づき測定結果を報告し得る。図３は、本発明の実施の形態に基づく移動端末からＥＵＴＲＡＮに伝送された測定報告のメッセージフローを表している。ＥＵＴＲＡＮ内の基地局は、受信した測定報告に基づき、１つ以上のコンポーネントキャリアを移動端末に更に配置し得る。コンポーネントキャリアの配置されたセットにコンポーネントキャリアを加える、またはコンポーネントキャリアの配置されたセットからコンポーネントキャリアを除去するのは、基地局によって決定される。上述のように、配置されたセットのコンポーネントキャリアは、ネットワーク状態により加えられても、除去されてもよい。例えば、良好な信号品質を有する新しいコンポーネントキャリアは、基地局に認可され得る。逆に、配置されたセットのコンポーネントキャリアの信号品質が落ちた時、基地局は、コンポーネントキャリアを配置されたセットから除去する決定をし得る。基地局は、ＲＲＣメッセージ（例えば、ＲＲＣＣｏｎｎｅｃｔｉｏｎＲｅｃｏｎｆｉｇｕｒａｔｉｏｎメッセージ）を伝送し、移動端末にコンポーネントキャリアをコンポーネントキャリアの配置されたセットから移動端末に配置されたコンポーネントキャリアを加えるか、またはコンポーネントキャリアを除去するかを要求する。
【００２１】
しかしながら、一旦、コンポーネントキャリアが移動端末に加えられるか、または除去されると、そのコンポーネントキャリアに対応する測定配置は、不明確になる。例えば、移動端末がコンポーネントキャリアの配置されたセットからコンポーネントキャリアを除去した後、基地局は、移動端末からコンポーネントキャリアのどんな測定結果も受け取らない可能性がある。しかしながら、コンポーネントキャリアがコンポーネントキャリアの配置されたセット内にないとしても、基地局は、コンポーネントキャリアを候補のコンポーネントキャリアとしてまだ見なして、対応する測定の結果を必要とする可能性がある。もう１つの実施形態では、移動端末が基地局によって２つのダウンリンクコンポーネントキャリア（ＣＣ１およびＣＣ２）で配置されると仮定する。ＣＣ１がＣＣ３に代替された時（即ち、ＣＣ１が除去されると同時にＣＣ３が加えられる）、移動端末と基地局は、どのようにＣＣ１に対応する測定配置とＣＣ３に対応する測定配置がランダムになるように処理するのか。上述の問題を解決するために、以下の段落では、無線通信システムで実施される構成要素の測定配置を管理する装置および方法が提供される。
【００２２】
本発明の第１の態様に基づく、図１に示された通信装置１１０（例えば移動端末）では、コンポーネントキャリアがコンポーネントキャリアの配置されたセットから除去されるか、またはセットに加えられた時、移動端末は、除去された、または加えられたコンポーネントキャリアに対応した測定配置を保持するように決定し得る。例えば、通信装置１１０は、サービスネットワークに、またはサービスネットワークから（例えばＥＵＴＲＡＮの基地局）、ＲＦ信号を送信および受信する、少なくとも第１のコンポーネントキャリア（ＣＣ１）で配置されると仮定すると、ＣＣ１は、コンポーネントキャリアの配置されたセットに集約される可能性がある。通信装置１１０が第２のコンポーネントキャリア（ＣＣ２）が加えられなければならないと示すサービスネットワークからのメッセージを受けた時、通信装置１１０は、受けたメッセージに応じて、ＣＣ２をコンポーネントキャリアの配置されたセットに更に加え得る。本発明の実施の形態に基づき、ＣＣ２をコンポーネントキャリアの配置されたセットに加えた後、通信装置１１０は、サービスネットワークから受けたＣＣ２に対応した測定配置を更に保持し得る。よって、通信装置１１０は、ＣＣ２に対応した測定配置に基づくＣＣ２の測定を周期的に、または非周期的に測定し得る。
【００２３】
本発明の実施の形態に基づき、あるネットワーク状態により、通信装置１１０がコンポーネントキャリアの配置されたセットからＣＣ２を除去すると決定したとすると、通信装置１１０は、ＣＣ２を除去した後、ＣＣ２に対応して測定配置を保持し続けることも可能である。例えば、サービスネットワーク（例えば基地局）は、ＲＲＣメッセージ（例えば、ＲＲＣＣｏｎｎｅｃｔｉｏｎＲｅｃｏｎｆｉｇｕｒａｔｉｏｎ）を通信装置１１０に伝送し、通信装置１１０に配置されたＣＣ２が除去されなければならないことを示し得るか、または通信装置１１０は、通信装置１１０がＲＲＣ接続再確立を他のコンポーネントキャリアに実行していることにより、ＣＣ２を除去することを決定し得る。両方のケースとも、通信装置１１０にコンポーネントキャリアの配置されたセットからＣＣ２を除去させる可能性がある。
【００２４】
本発明のもう１つの実施の形態に基づき、通信装置１１０は、コンポーネントキャリアの配置されたセットからＣＣ２を除去した後、ＣＣ２の測定が再開されてもよいということを示すメッセージを受けるまで、ＣＣ２の測定を実行するのを一時停止することも可能である。例えば、メッセージは、ＣＣ２がコンポーネントキャリアの配置されたセットに加えられなければならないことを示しているＲＲＣＣｏｎｎｅｃｔｉｏｎＲｅｃｏｎｆｉｇｕｒａｔｉｏｎでもよい。ＣＣ２に対応する測定配置が通信装置１１０によって保持されるため、サービスネットワークが通信装置１１０にＣＣ２の測定を実行させたい時、サービスネットワークは、ＣＣ２に対応する新しい測定配置を設定する必要がなく、必要な時に測定配置を再配置し得る（例えば新しい起動イベントを加える）。よって、通信装置１１０は、ＣＣ２を除去した後も、ＣＣ２の測定を実行し得る。
【００２５】
本発明のもう１つの実施の形態に基づき、通信装置１１０にコンポーネントキャリアの配置されたセットからＣＣ２を除去するように要求した後、図１に示されたサービスネットワークの無線通信サービスを提供するアクセスノードまたは基地局では、ＣＣ２に対応する測定配置もサービスネットワーク側に保持され得る。よって、移動端末およびネットワークもＣＣ２に対応する測定装置の同じ状態を有することができる。
【００２６】
図４は、本発明の第１の態様に基づく測定制御方法を例示する流れ図である。まず、通信装置とサービスネットワーク間のＲＲＣ接続は、第１のコンポーネントキャリアを含むコンポーネントキャリアの配置されたセットによって確立される（ステップＳ４０２）。次いで、第１のコンポーネントキャリアに対応する測定配置が発生される（ｇｅｎｅｒａｔｅｄ）（ステップＳ４０４）。次いで、メッセージを送信または受信して、第１のコンポーネントキャリアをコンポーネントキャリアの配置されたセットから除去するか、またはＲＲＣ再確立を開始するかに応じて、第１のコンポーネントキャリアがコンポーネントキャリアの配置されたセットから除去される（ステップＳ４０６）。最後に、第１のコンポーネントキャリアに対応する測定配置は、通信装置および／またはサービスネットワークによって保持される（ステップＳ４０８）。
【００２７】
図５は、本発明の第１の態様に基づく、もう１つの測定制御方法を例示する流れ図である。まず、無線リソース制御（ＲＲＣ）接続は、第１のコンポーネントキャリア（ＣＣ）によって、通信装置とサービスネットワーク間に確立される（ステップＳ５０２）。上述のように、第１のＣＣは、サービスネットワークによって配置され、通信装置とサービスネットワーク間の無線周波数信号を送信して受信するのに用いられるコンポーネントキャリアの配置されたセットに集約される。次いで、第１のコンポーネントキャリアに対応する測定配置は、通信装置およびサービスネットワークの両方によって保持される（ステップＳ５０４）。次いで、サービスネットワークによって配置されたコンポーネントキャリアの配置されたセット内にない、第２のコンポーネントキャリアが通信装置によって、コンポーネントキャリアの配置されたセットに加えられる（ステップＳ５０６）。従って、第２のコンポーネントキャリアに対応する測定配置は、通信装置およびサービスネットワークの両方によって保持される（ステップＳ５０８）。
【００２８】
本発明の第２の態様に基づき、図１に示されるように、通信装置１１０（例えば移動端末）では、コンポーネントキャリアがコンポーネントキャリアの配置されたセットから除去された時、移動端末は、除去されたコンポーネントキャリアに対応する測定配置を解放（または除去または無効）することを決定し得る。例えば、通信装置１１０は、サービスネットワークに、またはサービスネットワークから（例えばＥＵＴＲＡＮの基地局）、ＲＦ信号を送信および受信する、複数のコンポーネントキャリアで配置されると仮定すると、コンポーネントキャリアは、コンポーネントキャリアの配置されたセットに集約される可能性がある。コンポーネントキャリアに対応する測定配置は、サービスネットワークから受けられて、通信装置１１０によって保持され、コンポーネントキャリアの測定を実行する。
【００２９】
通信装置１１０がネットワーク状態に基づき、コンポーネントキャリアの配置されたセットから第１のコンポーネントキャリア（ＣＣ１）を除去すると決定した時、通信装置１１０は、ＣＣ１に対応して測定配置を解放するのを決定し得る（例えば、測定配置に含まれた測定ＩＤを除去することによって）。上述のように、サービスネットワーク（例えば基地局）は、ＲＲＣメッセージ（例えば、ＲＲＣＣｏｎｎｅｃｔｉｏｎＲｅｃｏｎｆｉｇｕｒａｔｉｏｎ）を通信装置１１０に伝送し、通信装置１１０に配置されたＣＣ１が除去されなければならないことを示し得るか、または通信装置１１０は、通信装置１１０がＲＲＣ接続再確立を他のコンポーネントキャリアに実行していることにより、ＣＣ１を除去することを決定し得る。両方のケースとも、通信装置１１０にコンポーネントキャリアの配置されたセットからＣＣ１を除去させる可能性がある。
【００３０】
本発明の実施の形態に基づき、通信装置１１０は、ＣＣ１の除去に応じて、ＣＣ１の測定の実行を停止し得る。本発明のもう１つの実施の形態に基づき、通信装置１１０は、ＣＣ１の除去に応じて、サービスネットワークに伝送される測定報告リストからＣＣ１に対応する全ての測定結果も除去し得る。本発明のいくつかの実施の形態において、各コンポーネントキャリアは、それ自身の測定報告リスト（例えば、可変の測定報告リストＶａｒＭｅａｓＲｅｐｏｒｔＬｉｓｔ）を有するか、または全てのコンポーネントキャリアの測定結果は、測定報告リストに保存され得る。可変の測定報告リストＶａｒＭｅａｓＲｅｐｏｒｔＬｉｓｔは、起動条件が適合している測定に関する情報を含み得る。通信装置１１０は、可変の測定報告リストＶａｒＭｅａｓＲｅｐｏｒｔＬｉｓｔ内のＣＣ１に対応する測定報告エントリ（ｅｎｔｒｙ）を除去し得る。
【００３１】
本発明のもう１つの実施の形態に基づき、通信装置１１０は、ＣＣ１の除去に応じてＣＣ１に対応する周期的報告タイマーもリセットし得る。周期的報告タイマーは、制御モジュール１１２に用いられ、ＣＣ１の測定結果を周期的に報告する。例えば、通信装置１１０は、ＣＣ１に対応する全ての測定ＩＤ（ｍｅａｓＩｄ）に対して、どれが実行していても、周期的報告タイマーまたはタイマーＴ３２１、および関連する情報（例えば、ｔｉｍｅＴｏＴｒｉｇｇｅｒ）をリセットし得る。
【００３２】
本発明のもう１つの実施の形態に基づき、通信装置１１０にコンポーネントキャリアの配置されたセットからＣＣ１を除去するように要求した後、図１に示されたサービスネットワークの無線通信サービスを提供するアクセスノードまたは基地局では、ＣＣ１に対応する測定配置もサービスネットワーク側に解放され得る。よって、移動端末およびネットワークもＣＣ１に対応する測定装置の同じ状態を有することができる。
【００３３】
図６は、本発明の第２の態様に基づく測定制御方法を例示する流れ図である。まず、通信装置とのサービスネットワークによって配置された複数のコンポーネントキャリアに属する第１のコンポーネントキャリアに対応する測定配置は、通信装置およびサービスネットワークの両方によって維持され得る（ステップＳ６０２）。コンポーネントキャリアは、通信装置とサービスネットワーク間の無線周波数信号を送信して受信するのに用いられるコンポーネントキャリアの配置されたセットに集約され得る。次いで、第１のコンポーネントキャリアは、ネットワーク状態に基づき、通信装置によってコンポーネントキャリアの配置されたセットから除去され得る（ステップＳ６０４）。最後に、第１のコンポーネントキャリアに対応する測定配置は、通信装置およびサービスネットワークの両方によって解放され得る（ステップＳ６０６）。
【００３４】
以上、本発明の好適な実施例を例示したが、これは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【００３５】
１００  無線通信システム
１１０、２２０  通信装置
１１１、２２１  無線モジュール
１１２、２２２  制御モジュール
１２０  サービスネットワーク
ＥＵＴＲＡＮ  ユニバーサル陸上無線アクセスネットワーク
ＵＥ  移動端末
【図１】
0005491441.tif 000002
【図２】
0005491441.tif 000003
【図３】
0005491441.tif 000004
【図４】
0005491441.tif 000005
【図５】
0005491441.tif 000006
【図６】
0005491441.tif 000007